(57)【要約】【目的】  本発明の目的は、パッキン簡単に取り付けることができる電気機器の筐体及び電気機器の筐体のパッキンの取付方法を提供する。【構成】  上面に開口１１０を有する箱状体であり且つコーナ部１０１が丸みを帯びた筐体本体１００と、筐体本体１００の開口１１０を塞ぐ蓋体３００と、筐体本体１００と蓋体２００との間に介在し当該筐体本体１００内の密閉性を高めるパッキン２００と、蓋体３００を筐体本体１００に回動可能に取り付ける第１の取付部品４００と、筐体本体１００に取り付けられており且つ蓋体３００を閉塞状態で保持する第２の取付部品５００と、筐体本体１００のコーナ部１０１の内壁面に各々取り付けられており且つパッキン２００をガイドするガイド部材６００とを備えている。。【選択図】      図１
2006324151.tif 000002
【特許請求の範囲】
【請求項１】
金属板をプレス成形した上面開口の箱状体であり且つその四隅の角部が丸みを帯びた筐体本体と、この筐体本体の開口を塞ぐ蓋体と、筐体本体と蓋体との間に介在し当該筐体本体内の密閉性を高めるパッキンとを備えており、筐体本体は、パッキンが取り付けられる部分であり且つ開口縁部が外側に向けて略Ｌ字状に折り曲げられた折曲部を有した照明器具用の筐体において、
パッキンをガイドするガイド部材を有しており、このガイド部材は、筐体本体の少なくとも角部の内壁面に設けられた板状体であって、その上端部が当該角部の折曲部上のパッキンの内側面に当接し、前記折曲部との間でパッキンを挟むようになっていることを特徴とする照明器具用の筐体。
【請求項２】
請求項１記載の照明器具用の筐体において、ガイド部材は前記筐体本体の内壁面に沿った枠状であることを特徴とする照明器具用の筐体。
【請求項３】
金属板をプレス成形した上面開口の箱状体であり且つ角部が丸みを帯びた筐体本体と、この筐体本体の開口を塞ぐ蓋体との間に設けられる照明器具用の筐体のパッキンの取付方法において、
筐体本体は、開口縁部が外側に向けて略Ｌ字状に折り曲げられた折曲部を有しており、  この筐体本体の少なくとも角部の内壁面に、板状のガイド部材をその上端部が当該角部の折曲部に対向するように取り付け、このガイド部材の上端部と前記角部の折曲部との間にパッキンを挟み込み、これにより当該パッキンを折曲部に取り付けるようにしたことを特徴とする照明器具用の筐体のパッキンの取付方法。
【請求項４】
請求項３記載の照明器具用の筐体のパッキンの取付方法において、パッキンをガイド部材の一端部と筐体本体の折曲部との間に挟み込むに当たり、パッキンに接着剤を塗布して筐体本体の折曲部に接着するようにしたことを特徴とする照明器具用の筐体のパッキンの取付方法。
【発明の詳細な説明】
【技術分野】
【０００１】
本発明はトンネル用の照明器具用の筐体及びこの照明器具用の筐体のパッキンの取付方法に関する。
【背景技術】
【０００２】
従来のトンネル用の照明器具の筐体は、金属板をプレス成形した上面開口の箱状体であり且つ開口縁部が外側に向けて略Ｌ字状に折り曲げられた折曲部を有する筐体本体と、この筐体本体の折曲部上に接着されたパッキンと、このパッキン上に載置され、筐体本体の開口を塞ぐ蓋体とを備えている( 特許文献１の図１４参照) 。
【０００３】
【特許文献１】特開２００４−１６５１２９号公報
【発明の開示】
【発明が解決しようとする課題】
【０００４】
ところが、筐体本体は、デザイン上、角部が丸みを帯びているものが多い。この角部の折曲部では、パッキンを接着剤で接着しても浮き上がり易く剥がれてしまうことがある。このため、パッキンが完全に接着されるまで、テープ等により仮固定が必要である。しかも、接着剤にはシリコン系の接着剤が使用されることから、完全に乾くまで長時間を要する。
【０００５】
言い換えると、照明器具用の筐体のパッキンの取付作業は、浮き上がりを防ぐために熟練を要し、且つ接着に時間が懸かるという問題を有していた。
【０００６】
本発明は、上記事情に鑑みて創案されたものであって、その目的とするところは、パッキン簡単に取り付けることができる照明器具用の筐体及び照明器具用の筐体のパッキンの取付方法を提供することにある。
【課題を解決するための手段】
【０００７】
上記課題を解決するために、本発明の照明器具用の筐体は、金属板をプレス成形した上面開口の箱状体であり且つその四隅の角部が丸みを帯びた筐体本体と、この筐体本体の開口を塞ぐ蓋体と、筐体本体と蓋体との間に介在し当該筐体本体内の密閉性を高めるパッキンとを備えており、筐体本体は、パッキンが取り付けられる部分であり且つ開口縁部が外側に向けて略Ｌ字状に折り曲げられた折曲部を有した照明器具用の筐体であって、パッキンをガイドするガイド部材を有しており、このガイド部材は、筐体本体の少なくとも角部の内壁面に沿って設けられた板状体であって、その上端部が当該角部の折曲部上のパッキンの内側面に当接し、前記折曲部との間でパッキンを挟むようになっている。
【０００８】
ガイド部材の上端部がパッキンの内側面の全面に当接する場合、このガイド部材は前記筐体本体の内壁面に沿った枠状である。
【０００９】
本発明の照明器具用の筐体のパッキンの取付方法は、金属板をプレス成形した上面開口の箱状体であり且つ角部が丸みを帯びた筐体本体と、この筐体本体の開口を塞ぐ蓋体との間に設けられる照明器具用の筐体のパッキンの取付方法であって、筐体本体は、開口縁部が外側に向けて略Ｌ字状に折り曲げられた折曲部を有しており、この筐体本体の少なくとも角部の内壁面に、板状のガイド部材をその上端部が当該角部の折曲部に対向するように取り付け、このガイド部材の上端部と前記角部の折曲部との間にパッキンを挟み込み、これにより当該パッキンを折曲部に取り付けるようにしたことを特徴としている。
【００１０】
パッキンをガイド部材の一端部と筐体本体の折曲部との間に挟み込むに当たり、パッキンに接着剤を塗布して筐体本体の折曲部に接着するようにしても良い。
【発明の効果】
【００１１】
本発明の請求項１及び２に係る照明器具用の筐体による場合、筐体本体の少なくとも角部の内壁面には、パッキンをガイドする板状のガイド部材が設けられている。このガイド部材の上端部が前記角部の折曲部上のパッキンの内側面に当接し、当該折曲部との間でパッキンを挟むようになっている。このため、前記角部の折曲部上のパッキンの浮き上がりを防ぐことができる。その結果、従来例のごとく、作業者の熟練を要さず、テープ等による仮固定も不要になるので、パッキンを筐体本体の折曲部に簡単に取り付けることができる。よって、作業時間が減少し、低コスト化を図ることができる。
【００１２】
本発明の請求項３に係る照明器具用の筐体のパッキンの取付方法による場合、請求項１と同様の効果を奏する。
【００１３】
本発明の請求項４に係る照明器具用の筐体のパッキンの取付方法による場合、パッキンに接着剤を塗布することにより、パッキンのズレ等を防止することができる。
【発明を実施するための最良の形態】
【００１４】
以下、本発明の実施の形態に係るトンネル用の照明器具の筐体について図面を参照しながら説明する。図１は本発明の実施の形態に係るトンネル用の照明器具の筐体の概略的断面図、図２は同筐体の概略的斜視図であって、( ａ）が閉塞状態を示す図、( ｂ）が開放状態を示す図、図３は同筐体の筐体本体を示す図であって、( ａ) が幅方向の一端側の概略的側面図、( ｂ）が幅方向の他端側の概略的側面図、図４は同筐体の第１の取付部品を示す図であって、( ａ) が概略的正面図、( ｂ）が概略的平面図、図５は同筐体の第２の取付部品の概略的正面図、図６は同筐体の第２の取付部品のベース部を示す図であって、( ａ) が概略的正面図、( ｂ）が概略的平面図、( ｃ) が概略的側面図、図７は同筐体の第２の取付部品の保持部を示す図であって、( ａ) が概略的正面図、( ｂ）が概略的平面図、( ｃ) が概略的側面図、図８は同筐体の第２の取付部品の連結部を示す図であって、( ａ) が概略的正面図、( ｂ）が概略的平面図、( ｃ) が概略的側面図、図９は同筐体のパッキンを示す図であって、( ａ）が概略的平面図、( ｂ) が概略的側面図、図１０は同筐体のガイド部材を示す図であって、( ａ）が概略的平面図、( ｂ) が概略的側面図、( ｃ) が概略的正面図、図１１は同筐体の筐体本体の角部を示した概略的平面図であって、ガイド部材の取付状態を示す図である。
【００１５】
図１及び図２に示すトンネル用の照明器具の筐体は、上面に開口１１０を有する箱状体であり且つその四隅の角部１０１が丸みを帯びた筐体本体１００と、筐体本体１００の開口１１０を塞ぐ蓋体３００と、筐体本体１００と蓋体２００との間に介在し当該筐体本体１００内の密閉性を高めるパッキン２００と、蓋体３００を筐体本体１００に回動可能に取り付ける第１の取付部品４００と、筐体本体１００に取り付けられており且つ蓋体３００を閉塞状態で保持する第２の取付部品５００と、筐体本体１００の角部１０１の内壁面に各々取り付けられており且つパッキン２００をガイドするガイド部材６００とを備えている。以下、各部を詳しく説明する。
【００１６】
筐体本体１００は、図１及び図３に示すように、金属板をプレス成形した箱状体である。この筐体本体１００は、開口縁部が外側に向けて略Ｌ字状に折り曲げられた折曲部１２０を有する。筐体本体１００の内部には図示しない光源が開口１１０に向けて設けられる。
【００１７】
この筐体本体１００の幅方向の一端部の折曲部１２０の下部には、図３( ａ) に示すように、第１の取付部品４００の取付部４１０をネジ止めするための第１の取付孔１３１、１３１が設けられている。一方、筐体本体１００の幅方向の他端部の折曲部１２０の下部には、図３( ｂ) に示すように、第２の取付部品５００のベース部５１０をネジ止めするための第２の取付孔１３２、１３２とが設けられている。
【００１８】
蓋体３００は、図１に示すように、透明な強化ガラス製の板材であって、幅方向の一端部に第１の取付部品４００の回動部４２０をビス止めするための第３の取付孔３１０、３１０( 図示一つ) が設けられている。
【００１９】
第１の取付部品４００は、図１及び図４に示すように、取付部４１０と、この取付部４１０とヒンジ結合された回動部４２０とを有する。取付部４１０には筐体本体１００の第１の取付孔１３１、１３１と連通する第１のネジ孔４１１、４１１が設けられている。即ち、筐体本体１００の一端部に第１のシール部材７１０を挟んでネジ止めされる。回動部４２０には蓋体３００の第３の取付孔３１０、３１０と連通するビス孔４２１、４２１が設けられている。即ち、蓋体３００の一端部の面上に第２のシール部材７２０を挟んでビス止めされる。このようにして蓋体３００が筐体本体１００に開閉可能に取り付けられる。
【００２０】
第２の取付部品５００は、図１及び図５に示すように、筐体本体１００に第３のシール部材７３０を挟んで取り付けられたベース部５１０と、蓋体３００の他端部を閉塞状態で保持する保持部５２０と、ベース部５１０と保持部５２０とを各々回動可能に連結する連結部５３０とを有している。
【００２１】
ベース部５１０は、図１、図５及び図６に示すように、略逆台形状の板材の両端部を直角に折り曲げた形状となっている。このベース部５１０の中央部には、筐体本体１００の第２の取付孔１３２、１３２と連通する第２のネジ孔５１３、５１３が設けられている。即ち、筐体本体１００にネジ止めされるようになっている。また、ベース部５１０の両端部には、連結部５３０の第１の軸孔５３１、５３１( 図８参照) と連通する第１の軸孔５１１、５１１と、連結部５３０の突起５３３、５３３( 図８参照) が係合可能な係合孔５１２、５１２とが設けられている。
【００２２】
保持部５２０は、図１、図５及び図７に示すように、断面視略コ字状の保持部本体５２０ａと、この保持部本体５２０ａの幅方向の両端部から直角に突設された板状の軸体部５２０ｂ、５２０ｂとを有した形状となっている。保持部本体５２０ａは、上端部が略Ｌ字状に折り曲げられており、この上端部にナイロン等の樹脂からなる当接具５２１ａが嵌合するようになっている。この当接具５２１ａが、図１に示すように、蓋体３００の他端部の面上に面接触し、これにより蓋体３００を閉塞状態で保持する。軸体部５２０ｂ、５２０ｂには連結部５３０の第２の軸孔５３２、５３２( 図８参照) と連通する第２の軸孔５２１ｂ、５２１ｂが設けられている。
【００２３】
連結部５３０は、図１、図５及び図８に示すように、平面視略逆凹字状の部材であって、その両端部に第１、２の軸孔５３１、５３１、５３２、５３２が上下に並べて設けられている。また、連結部５３０の両端部には、第１、２の軸孔５３１、５３１、５３２、５３２の間に突起５３３、５３３が内側に向けて突設されている。
【００２４】
ベース部５１０の第１の軸孔５１１、５１１及び連結部５３０の第１の軸孔５３１、５３１には第１の軸棒５４１が挿入される。これにより連結部５３０がベース部５１０に回動可能に取り付けられる。一方、連結部５３０の第２の軸部５３２、５３２及び保持部５２０の第２の軸孔５２１ｂ、５２１ｂには第２の軸棒５４２が挿入される。これにより保持部５２０が蓋体３００を保持する保持位置から蓋体３００の開閉を妨げない退避位置に連結部５３０を介してベース部５１０に回動可能に取り付けられる。保持部５２０が保持位置に位置すると、連結部５３０の突起５３３、５３３がベース部５１０の係合孔５１２、５１２に係合され、これにより保持部５２０が保持位置で保持される。
【００２５】
パッキン２００は、図１及び図９に示すように、筐体本体１００の折曲部１２０上に載置されるゴム製の枠状体である。即ち、筐体本体１００の折曲部１２０と蓋体３００との間に介在して筐体本体１００の密閉性を高め、これにより筐体本体１００内に排気ガス、塵、埃及び／又は水等が侵入するのを防止する。
【００２６】
ガイド部材６００は、図１、図１０及び図１１に示すように、筐体本体１００の角部１０１の内壁面に沿うように形成された板状体である。ガイド部材６００には、筐体本体１００の第１の取付孔１３１、１３１及び第１の取付部品４００の取付部４１０の第１のネジ孔４１１、４１１、又は筐体本体１００の第２の取付孔１３２、１３２及び第２の取付部品５００のベース部５１０の第２のネジ孔５１３、５１３と連通する孔部６１０、６１０が設けられている。即ち、第１の取付部品４００を取り付けるためのネジと第２の取付部品５００を取り付けるためのビスとにより、筐体本体１００の角部１０１の内壁面に各々取り付けられる。
【００２７】
このガイド部材６００は、筐体本体１００の角部１０１の内壁面に取り付けられた状態で、上端部がパッキン２００の内側面に当接し、これにより筐体本体１００の折曲部１２０との間でパッキン２００を挟み込むようになっている。
【００２８】
以下、このトンネル用の照明器具の筐体の組立方法を説明すると共に、同筐体のパッキン２００の取付方法について説明する。
【００２９】
まず、筐体本体１００の一端部の外壁面に第１の取付部品４００の取付部４１０を、当該取付部４１０の第１のネジ孔４１１、４１１と筐体本体１００の第１の取付孔１３１、１３１とが連通するように位置合わせをしつつ置く。このとき、第１のシール部材７１０を取付部４１０と筐体本体１００との間に挟む。
【００３０】
これと共に、筐体本体１００の一端部側の角部１０１の内壁面にガイド部材６００を、このガイド部材６００の孔部６１０、６１０と筐体本体１００の第１の取付孔１３１、１３１とが連通するように位置合わせをしつつ置く( 図１及び図１１参照) 。この状態で、第１のネジ孔４１１、４１１、第１の取付孔１３１、１３１及び孔部６１０、６１０にボルトを挿入し、このボルトにナットを螺着させることにより取付部４１０及びガイド部材６００を筐体本体１００に取り付ける。
【００３１】
一方、筐体本体１００の他端部の外壁面に第２の取付部品５００のベース部５１０を、このベース部５１０の第２のネジ孔５１３、５１３と筐体本体１００の第２の取付孔１３２、１３２とが連通するように位置合わせをしつつ置く。このとき、第３のシール部材７３０を、ベース部５１０と筐体本体１００との間に挟む。
【００３２】
これと共に、筐体本体１００の他端部側の角部１０１の内壁面にガイド部材６００を、このガイド部材６００の孔部６１０、６１０と筐体本体１００の第２の取付孔１３２、１３２とが連通するように位置合わせをしつつ置く( 図１及び図１１参照) 。この状態で、第２のネジ孔５１３、５１３、第２の取付孔１３２、１３２及び孔部６１０、６１０にボルトを挿入し、このボルトにナットを螺着させることによりベース部５１０及びガイド部材６００を筐体本体１００に取り付ける。
【００３３】
そして、筐体本体１００の折曲部１２０に接着剤を塗布し、当該折曲部１２０にパッキン２００を接着させる。このとき、角部１０１の折曲部１２０とガイド部材６００の上端部との間にパッキン２００を挟み込む。このようにしてパッキン２００が筐体本体１００に取り付けられる。
【００３４】
その後、蓋体３００の一端部の面上に第１の取付部品４００の回動部４２０を、この回動部４２０のビス孔４２１、４２１と蓋体３００の第３の取付孔３１０、３１０と連通する位置合わせをしつつ置く。この状態で、ビス孔４２１、４２１及び蓋体３００の第３の取付孔３１０、３１０にビスを挿入し、このビスにナットを螺着させることにより回動部４２０を蓋体３００に取り付ける。このとき、第２のシール部材７２０を、回動部４２０と蓋体３００との間に挟む。
【００３５】
そして、第１の取付部品４００の取付部４１０と回動部４２０とをヒンジ結合し、蓋体２００を筐体本体１００に取り付ける。このようにして照明器具用の筐体が組み立てられる。
【００３６】
このようなトンネル用の照明器具の筐体による場合、筐体本体１００の角部１０１の内壁面に取り付けられたガイド部材６００の上端部と筐体本体１００の角部１０１の折曲部１２０との間にパッキン２００を挟み込むようになっているので、筐体本体１００の角部１０１の折曲部１２０上のパッキン２００の浮き上がりを防止することができる。その結果、作業者の熟練を要さず、テープ等による仮固定も不要になるので、パッキン２００を筐体本体１００に簡単に取り付けることができる。よって、作業時間が減少し、低コスト化を図ることができる。しかも、ガイド部材６００は、第１、第２の取付部品４００、５００と共に筐体本体１００に取り付けられているので、ガイド部材６００を取り付けるための特別な機構を必要としない。よって、この点でも、低コスト化を図ることができる。
【００３７】
なお、この筐体は、金属板をプレス成形した上面開口の箱状体であり且つ角部が丸みを帯びた筐体本体と、この筐体本体の開口を塞ぐ蓋体と、筐体本体と蓋体との間に介在し当該筐体本体内の密閉性を高めるパッキンとを備えており、筐体本体は、パッキンが取り付けられる部分であり且つ開口縁部が外側に向けて略Ｌ字状に折り曲げられた折曲部を有した照明器具用の筐体であって、パッキンをガイドするガイド部材を有しており、このガイド部材は、筐体本体の少なくとも角部の内壁面に設けられた板状体であって、その上端部が当該角部の折曲部上のパッキンの内側面に当接し、前記折曲部との間でパッキンを挟むようになっている限りどのように設計変更を行ってもかまわない。
【００３８】
蓋体３００については、強化ガラス製であるとしたが、光源の光を筐体本体１００の外部に照射できる程度の透過性を有したものであればどのようなものを用いても良い。例えば、透明な樹脂などで構成するようにしても良い。また、蓋体２００は板状体である必要はなく、筐体本体１００の開口１１０を塞ぐことができるものであれば、どのような形状であっても良い。更に、蓋体２００全体が透明である必要はなく、少なくとも一部が透明であれば良い。例えば、中央部を透明部とし、この透明部を金属製や樹脂製の枠体に取り付けるようにしても良い。
【００３９】
第１、第２の取付部品４００、５００については、一例であり、筐体本体１００に取り付けられる取付部品であればどのようなものを用いても良い。例えば、第２の取付部品５００のみで蓋体３００を筐体本体１００に保持させるようにすることができる。
【００４０】
ガイド部材６００については、枠状体であるとしたが、筐体本体１００の少なくとも角部１０１の内壁面に取付可能であり且つパッキン２００の筐体本体１００の内側面をガイドし得るものであれば、どのような形状のものを用いても良い。例えば、筐体本体１００の内壁面に沿った板状の枠体とすることができる。なお、ガイド部材６００が角部１０１の内壁面に取り付けられているときに、他のガイド部材を筐体本体１００の角部１０１の以外の内壁面に取付可能であることはいう迄もない。この場合は、前記他のガイド部材は単なる板状のものであれば良い。
【００４１】
ガイド部材６００の取付方法については、第１、第２の取付部品４００、５００と共に取り付けるだけでなく、他の方法で筐体本体１００の内壁面に取り付けるようにしても良い。
【００４２】
パッキン２００については、接着剤を塗布して筐体本体１００の折曲部１２０に取り付けることが望ましいが、接着剤を塗布しないで取り付けることも可能である。この場合、筐体本体１００の折曲部１２０やガイド部材６００にパッキン２００を係止する係止片等を設けるようにしても良い。
【００４３】
上記実施例では、トンネル用の照明器具の筐体として説明したが、その他の電気機器の筐体に用いることができるこは言う迄もない。
【図面の簡単な説明】
【００４４】
【図１】本発明の実施の形態に係るトンネル用の照明器具の筐体の概略的断面図である。
【図２】同筐体の概略的斜視図であって、( ａ）が閉塞状態を示す図、( ｂ）が開放状態を示す図である。
【図３】同筐体の筐体本体を示す図であって、( ａ) が幅方向の一端側の概略的側面図、( ｂ）が幅方向の他端側の概略的側面図である。
【図４】同筐体の第１の取付部品を示す図であって、( ａ) が概略的正面図、( ｂ）が概略的平面図である。
【図５】同筐体の第２の取付部品の概略的正面図である。
【図６】同筐体の第２の取付部品のベース部を示す図であって、( ａ) が概略的正面図、( ｂ）が概略的平面図、( ｃ) が概略的側面図である。
【図７】同筐体の第２の取付部品の保持部を示す図であって、( ａ) が概略的正面図、( ｂ）が概略的平面図、( ｃ) が概略的側面図である。
【図８】同筐体の第２の取付部品の連結部を示す図であって、( ａ) が概略的正面図、( ｂ）が概略的平面図、( ｃ) が概略的側面図である。
【図９】同筐体のパッキンを示す図であって、( ａ）が概略的平面図、( ｂ) が概略的側面図である。
【図１０】同筐体のガイド部材を示す図であって、( ａ）が概略的平面図、( ｂ) が概略的側面図、( ｃ) が概略的正面図である。
【図１１】同筐体の筐体本体の角部を示した概略的平面図であって、ガイド部材の取付状態を示す図である。
【符号の説明】
【００４５】
１００  筐体本体
１０１  角部
１２０  折曲部
２００  パッキン
３００  蓋体
４００  第１の取付部品
５００  第２の取付部品
６００  ガイド部材
【図１】
2006324151.tif 000003
【図２】
2006324151.tif 000004
【図３】
2006324151.tif 000005
【図４】
2006324151.tif 000006
【図５】
2006324151.tif 000007
【図６】
2006324151.tif 000008
【図７】
2006324151.tif 000009
【図８】
2006324151.tif 000010
【図９】
2006324151.tif 000011
【図１０】
2006324151.tif 000012
【図１１】
2006324151.tif 000013